(57)【要約】【課題】現場データを活用して、改善活動や定型業務に利用しようとする時、あらかじめ要求仕様を決めシステム機能として組み込むことが必要になる。しかし、非定型業務の場合、必要になった時、即時性のある現場データを必要なデータのみ、その場で収集し、パソコンで活用できることが要求されるが、その仕組みを具備したネットワーク情報基盤がない。【解決手段】現場の言葉をモデル化して現場データとして、その現場データの持つ固有情報に背景情報を加えてイベント・メッセージとする。イベント発生時に即時性をもってこのイベント・データを送出できるネットワーク基盤を有し、イベント・メッセージ名の辞書と収集条件から必要なイベント・メッセージを選択し収集・蓄積して依頼元に送信できる情報基盤を構築する。【選択図】図１
2010073180.tif 000002
【特許請求の範囲】
【請求項１】
複数の現場データ発生装置と複数のデータ収集管理装置および情報伝文を解釈できる辞書を有する管理装置が接続されたネットワーク伝送網において、現場データの発生毎に、即時に当該現場データの持つ固有情報に背景情報を付加した情報をネットワーク上に送出する機能を有し、送出されたネットワーク上で共有される複数の情報伝文の中から、前記情報伝文を解釈できる辞書を有する管理装置を用いて情報伝文を選択し収集条件を定めて前記データ収集管理装置に受信することで収集蓄積し、当該収集蓄積した情報伝文を必要としている別のデータ収集管理装置に送信することを特徴とする情報基盤方式
【請求項２】
請求項１記載の方式を具えるネットワークシステム
【発明の詳細な説明】
【技術分野】
【０００１】  情報処理分野において、ネットワーク伝送網は、システム構成要素として必須となっている。本発明は、ネットワーク伝送網の利用技術の基となる情報基盤方式に関するものである。
【背景技術】
【特許文献１】  ＦＡ情報収集方法および装置  登録番号３２０５５３８
【特許文献２】  ＦＡ情報収集方法および装置  登録番号３３００６７６
【発明の開示】
【発明が解決しようとする課題】
【０００２】  現場の改善活動や、工場の操業立ち上げのように、安定操業ではない過渡期に必要な現場データ（設備制御データを除く操業データ）の即時性のある情報基盤（Ｗｅｂベース又はネットワーク）はないのが現状である。
このような改善活動や、過渡期では、次のような情報基盤が必要となる。
・試行錯誤の繰り返しをサポートする
・解析評価をサポートする
・一時的に必要と思われるデータの収集をサポートする
・データを細かい時間軸で、一時的にモニタする
・ある目的を決めて、その為に、一時的にデータを収集する
このようなニーズを汎用的にサポートし、システムに組み込む事は、不可能である。何故なら、予め、要求仕様を定義できないため、処理機能をシステムの中に作り込むことが出来ない事で自明である。【０００３】  一般的に、情報処理システムは、定型業務を前提として、その処理機能を作り込みシステムを構築している。そこで扱う製造現場データは、コード化され、処理機能を組み込んだ固定化された処理装置のみが、解釈できるコード化が行われる。非定型業務のサポートが必要な時には、システム改造により当該非定型業務の処理機能を定義することで、定型化し機能を追加して組み込み解決するが、即時性は全くない。【０００４】  改善活動や、操業立ち上げ時には、欲しい時に、欲しい現場データを即時性を持って、入手出来る情報基盤が必要であるが、予め定型業務として定義できないため、従来のシステムではサポートできない悩みがある。【０００５】  現場データのコード化は、想定される定型業務に便利な、且つ、一般的なコード化技術を用いて行う結果、データの持つ本質的な製造現場に於ける意味・性格などの製造現場の活動を表現する情報量を失うためである。このように、情報処理を前提とするコード化は、データの本質を失い、欲しい時に、欲しいデータを固定の処理装置ではない処理装置で扱うことを不可能にしている。【０００６】  現場データの持つ本質的な意味・性格などの現場活動を表現する情報量とは、日常の現場の生産活動のなかで、その企業で普段使われている言葉をそのままデータとして扱う事である。現場業務を情報システムとして処理するためのコード化、処理機能に変換するための手段が情報量を失わせる結果、予め想定しない目的に対応できない事となる。情報処理は、手段であり、目的ではないという本質的な理解が欠如している。生産活動の中で使われる言葉を製造現場データとする発想の転換が必要である。【０００７】  現場業務の中で発生する現場データを即時性を持ってネットワーク上で共有し、欲しい人が欲しい時にそのデータを入手する為に、現場データの中から必要なデータを自由に選択して収集し、必要とする処理装置に送信する様なネットワーク基盤はない。
【問題を解決するための手段】
【０００８】  現場データは、生産活動の中で使われる言葉をモデル化したものである
・現場で使われる言葉とは、生産数量、作業完了、故障、品質不良、ライン停止、稼      動率、作業開始、などその企業の生産に関与する誰もが理解し、親しんでいる言葉      であり、その企業の歴史や、文化、生産する製品などを深く反映している。この言      葉を、情報として扱えるように定量的で、定義を厳密にしあいまい性をなくし統一      性を持たせるようモデル化したものを現場データと称する。
【０００９】  現場データは、生産活動のなかで、ある事象が発生するか、事象の変化が起こるタイミングで生まれる。このタイミングをイベントと呼ぶ。イベントの発生時、データは、どんな事象が、何時、どこで、どのように発生したか、その事象の中味はなにかを情報として本質的に持っている。この本質的な情報を現場データの固有情報と言う。この固有情報をイベントごとに，まとめたものを、イベントデータと称する。
【００１０】  イベントデータは、そのデータの発生の背景を持っている。どのような規格・標準作業のもとで生じたか、どの作業者が作業したのか、どのプロセスを用いたのか、どのような生産計画を実行した時に生まれたのか等の背景までをイベントデータに組み合わせる事で、利用価値の高い情報にする事ができる。イベントデータにこの背景情報を付加し一つの情報伝文にまとめたものをイベント・メッセージと称する。
【００１１】  このように、イベントの発生時に、現場データは、固有情報と組み合わせて、イベントデータを構成し、更に、背景情報を付加した情報伝文とすることで、イベント・メッセージとなり、利用価値の高い情報のまとまりとすることができる。
【００１２】  イベント・メッセージに名称を与え、現場の活動の中で生じる各種イベント・メッセージを洗い出し整理し、体系的に纏め上げることで、現場活動全体を現す辞書（カタログ）を作成する。カタログ作成時、イベント・メッセージの属性として、登録者、登録履歴、利用目的、起因元、経営面の意味、必要な解説などを定義してカタログを完成する。このカタログは、管理装置に収納され、イベント・メッセージを解釈できる管理装置としてネットワーク伝送網に接続される。
【００１３】  イベント・メッセージは、ネットワーク伝送網に接続された複数の現場データ発生装置からイベント発生時にネットワークに即時に送出され、共有される。又、利用されることを想定し、一日とかある期間一時蓄積される。
【００１４】  複数のデータ収集管理装置は、収集目的に合うイベント・メッセージをカタログを用いて選択し、収集条件を定めて収集蓄積し、別のデータ収集管理装置に送信する。このように、イベント・メッセージを欲しい人が、欲しい時に、いつでも活用できる。パソコンを扱える人は、随時、目的に合わせて、データを活用して、現場改善や、操業立ち上げに生かすことが出来る。
【発明の効果】
【００１５】  現場データを、即時性を持って、共有できる情報基盤を実現することで、現場改善、操業立ち上げなど、従来のシステムでは扱うことができなかった変化する生産活動で必要な意志決定を含む非定型業務を効率よくこなし、ものづくり力強化と、変化する外部環境にスピーデイに対応できる。
【００１６】  各種の現場データの名称全体がイベント・メッセージとしてその属性を含めて辞書（カタログ）として登録される為、欲しいデータはカタログから自由に選択できる。収集条件を定めて収集し蓄積した結果を入手できるので、現場の改善活動や現場運営にダイナミックに活用できる。
【００１７】  欲しいデータを入手後、パソコンの汎用ソフトを用いて加工・編集し表やグラフとして表現できるので、現場業務担当が現場でそのまま活用できる。
【発明を実施するための最良の形態】
【００１８】  ネットワーク伝送網として、イーサネットを現場に設置し、現場データ発生装置を複数台イーサネットに接続する。現場データ発生装置としては、パソコンを用い、シーケンサ及び現場端末から現場データを、その発生タイミングでパソコンに取り込み、パソコンに内蔵する背景情報を付加したイベント・メッセージに編集した上でネットワークに送出する。【００１９】  一方では、ネットワーク上に、辞書（カタログ）及び収集条件（ミッション）を持つサーバを接続した上で、現場データの利用者用に複数台のデータ収集管理サーバを接続する。【００２０】  データ収集管理サーバは、欲しい現場データのイベント・メッセージ名を選択し、収集条件を定めて辞書及び収集条件を持つサーバに、データの収集依頼を行う。【００２１】  辞書及び収集条件を持つサーバは、カタログ及び収集条件を参照し、依頼されたデータ収集を行ない、依頼元へ収集・蓄積したデータを送出する。図１に、システム構成を示す。
【実施例】
【００２２】  発明を実施するための最良の形態に示す通り、複数のサーバ群と複数のパソコンをイーサネット接続し、システムを構成する。【００２３】  パソコンには、現場データの収集・編集ソフトを組み込みイベント・メッセージの送出を可能とする。辞書ミッションサーバには、イベント・メッセージの種類と属性を辞書としてあらかじめ定義し内蔵する。【００２４】  データ収集用サーバは、収集条件（ミッション）のメニューから必要な収集条件を選択してデータ収集を依頼する。【００２５】  辞書ミッションサーバは、依頼されたデータの収集・蓄積を実行し依頼元サーバへ送出する。
【産業上の利用可能性】  本発明は、情報基盤方式にあり、通常イーサネット、サーバ、パソコン、シーケンサ、現場端末を用いたシステムで構成できる。いずれも、産業機器、情報処理装置、汎用ネットワーク装置であり、容易に入手可能である為、産業上の利用可能性は充分である。
【図面の簡単な説明】
【００２６】
【図１】本発明に係る方式を適用したネットワークシステムの概略ブロック図である。
【符号の簡単な説明】
【００２７】１０  ネットワーク伝送網（イーサネット）
１１  現場設備
１２  現場端末
１３  シーケンサ
１４  パソコン
１５  辞書（カタログ）
１６  収集条件（ミッション）
１７  辞書ミッションサーバ
１８  データ収集管理装置
【図１】
2010073180.tif 000003